(57)【要約】【課題】バルコニーや廊下などの内側空間に配置された構造物を外側空間から隠しつつ、内側空間からのコンクリートスラブの鼻先部のメンテナンスをも可能とする手摺構成体を提供する。【解決手段】バルコニーなどを構成するスラブ１３に設けられる支柱１２、連結部材１４，３４、格子ユニット１６，３０を有する、持ち出し且つスラブ隠しタイプの手摺構成体１であって、格子ユニットはバルコニーなどの内側空間Ｓ２に配置された構造物を覆うように配置され、上下に移動可能であり、連結部材は、外側空間方向に延びる第１連結部材１４と、該部材よりも外側空間方向に短い第２連結部材３４とを有し、格子ユニットは、部材１４に取り付けられた第１格子ユニット１６と、部材３４に取り付けられた第２格子ユニット３０とを有し、それぞれの第１又は第２格子ユニット１６又は３０の上又は下に隣接して第２又は第１格子ユニット３０又は１６がそれぞれ配置される。【選択図】図６
2020084597.tif 000002
【特許請求の範囲】
【請求項１】
バルコニーや廊下を構成するコンクリートスラブ（１３）に設けられる支柱（１２）、該支柱に固定された連結部材（１４，３４）、該連結部材に取り付けられる格子ユニット（１６，３０）を有する、持ち出しタイプ且つスラブ隠しタイプの手摺構成体（１）であって、
前記格子ユニット（１６，３０）は、バルコニーや廊下の内側空間（Ｓ２）に配置された構造物を覆うように配置されており、上下に移動可能であり、
前記連結部材（１４，３４）は、外側空間方向に延びる第１連結部材（１４）と、該第１連結部材よりも外側空間方向に短い第２連結部材（３４）とを有し、
前記格子ユニット（１６，３０）は、前記第１連結部材（１４）に対して取り付けられた第１格子ユニット（１６）と、前記第２連結部材（３４）に対して取り付けられた第２格子ユニット（３０）とを有し、
それぞれの前記第１格子ユニット（１６）又は前記第２格子ユニット（３０）の上又は下に隣接して、前記第２格子ユニット（３０）又は前記第１格子ユニット（１６）がそれぞれ配置されている、ことを特徴とする手摺構成体。
【請求項２】
上下方向に移動した前記第１格子ユニット（１６）又は前記第２格子ユニット（３０）の下端とコンクリートスラブ（１３）の間に、開口部（４０）が形成される、ことを特徴とする請求項１に記載の手摺構成体。
【請求項３】
前記連結部材（１４，３４）は、前記第１及び第２格子ユニット（１６，３０）をそれぞれ支えるストッパとして機能する上側ブラケット（１４Ａ，３４Ａ）及び下側ブラケット（１４Ｂ，３４Ｂ）を有し、
前記第１及び第２格子ユニット（１６，３０）の下側横桟（１８Ｂ，３８Ｂ）の上端から前記上側ブラケット（１４Ａ，３４Ａ）の下端までの距離（Ｚ）が、前記開口部（４０）の縦寸法を画定する、ことを特徴とする請求項２に記載の手摺構成体。
【請求項４】
前記第１及び第２格子ユニット（１６，３０）の左右両端に位置する２本の縦桟（２０Ａ又は１８）は、第１溝部（２０ｃ又は２０ｄ）を有するレール部（２０ｅ又は２０ｆ）を備え、
前記連結部材（１４，３４）は、固定手段（１７ａ，１７ｂ）により前記縦桟（２０Ａ又は１８）の前記レール部（２０ｅ又は２０ｆ）に解除可能に固定され、前記固定手段（１７ａ，１７ｂ）の解除時には前記第１及び第２格子ユニット（１６，３０）は前記レール部（２０ｅ又は２０ｆ）に沿って移動可能である、ことを特徴とする請求項１〜３のいずれか一項に記載の手摺構成体。
【請求項５】
前記第１格子ユニット（１６）及び前記第２格子ユニット（３０）が上下方向に交互に配置されている、ことを特徴とする請求項１〜４のいずれか一項に記載の手摺構成体。
【請求項６】
前記第１格子ユニット（１６）及び前記第２格子ユニット（３０）が複数の階にわたって配置されている、ことを特徴とする請求項１〜５のいずれか一項に記載の手摺構成体。
【請求項７】
前記第１格子ユニット（１６）及び前記第２格子ユニット（３０）が左右方向に且つ上下方向に交互に配置されている、ことを特徴とする請求項１〜６のいずれか一項に記載の手摺構成体。
【請求項８】
或る階では前記第１格子ユニット（１６）のみが配置され、当該階の上階又は下階では前記第２格子ユニット（３０）のみが配置される、ことを特徴とする請求項１〜６のいずれか一項に記載の手摺構成体。
【発明の詳細な説明】
【技術分野】
【０００１】
本発明は、持ち出しタイプ且つスラブ隠しタイプの手摺構成体に関する。
【背景技術】
【０００２】
中高層マンションのような集合住宅等においては、工期の短縮とコストの軽減を図る目的から仮設足場を必要としない建築工法が研究されている。この際、バルコニーや外部廊下の手摺構成体は、採光性と防風性、更にはデザイン性を重視する観点から、ガラス腰壁や格子腰壁を備えた「腰壁タイプ」の手摺構成体が多く採用される傾向にある。このような手摺構成体は、バルコニーや廊下を構成するコンクリートスラブの外側空間と内側空間の間に位置するスラブ鼻先部に沿って所定間隔で支柱を列設することにより手摺本体を構成し、前記支柱にブラケットを介して格子ユニットを取付けることにより構築される。従って、格子ユニットが外側に持ち出し状に支持されるため「持ち出しタイプ」と称される。
【０００３】
また、デザイン的側面から、建物の外観として、手摺本体の笠木や支柱上部が外部から視認できないように格子ユニットで被い隠すことが好ましく、更には、外部からバルコニーや廊下のコンクリートスラブの鼻先部を見せないように、格子ユニットによりスラブの鼻先部分を被い隠した「スラブ隠しタイプ」の手摺構成体が提供されている。これにより、格子ユニットが建物の外観部の前面に設置されると共に、他の外壁と同一面上で連続するファサードを構成することが可能になる。
【０００４】
さらに、図１３に示すように、持ち出しタイプかつスラブ隠しタイプの手摺構成体が知られている。このような手摺構成体は複数の階にわたって延在し、ベランダなどの上部空間に設置されたエアコン室外機や間仕切りなどの構造物を覆って外側空間Ｓ１から隠している。スラブ鼻先部５１のタイル補修又は塗装工事等のメンテナンスに対応するために、個々の手摺構成体５０は上下に可動に構成されている。
【０００５】
しかしながら、個々の手摺構成体５０の格子ユニット（格子パネル）が、外側空間方向に同レベルで上下に配置されているため、互いにつかえてしまい、任意の格子ユニットを自由に動かせない。
【発明の概要】
【発明が解決しようとする課題】
【０００６】
そこで本発明は、バルコニーや廊下などの内側空間に配置された構造物を外側空間から隠しつつ、内側空間からの、バルコニーや廊下などを構成するコンクリートスラブの鼻先部のメンテナンスをも可能とする、持ち出しタイプ且つスラブ隠しタイプの手摺構成体を提供することを課題とする。
【課題を解決するための手段】
【０００７】
この課題は、バルコニーや廊下を構成するコンクリートスラブに設けられる支柱、該支柱に固定された連結部材、該連結部材に取り付けられる格子ユニットを有する、持ち出しタイプ且つスラブ隠しタイプの手摺構成体であって、前記格子ユニットは、バルコニーや廊下の内側空間に配置された構造物を覆うように配置されており、上下に移動可能であり、前記連結部材は、外側空間方向に延びる第１連結部材と、該第１連結部材よりも外側空間方向に短い第２連結部材とを有し、前記格子ユニットは、前記第１連結部材に対して取り付けられた第１格子ユニットと、前記第２連結部材に対して取り付けられた第２格子ユニットとを有し、それぞれの前記第１格子ユニット又は前記第２格子ユニットの上又は下に隣接して、前記第２格子ユニット又は前記第１格子ユニットがそれぞれ配置されている、ことを特徴とする手摺構成体により解決される。
【発明の効果】
【０００８】
バルコニーや廊下などの内側空間に配置された構造物を外側空間から隠しつつ、内側空間からの、バルコニーや廊下などを構成するコンクリートスラブの鼻先部のメンテナンスも可能となる。
【図面の簡単な説明】
【０００９】
【図１】建物の外側から見た手摺構成体の概略側面図である。
【図２】図１のＡ−Ａを通る概略平面断面図である。
【図３】縦桟の拡大断面図である。
【図４】図１の手摺構成体の概略正面図である。
【図５】図４の手摺構成体の縦桟を通るＸ−Ｘにおける概略側面断面図である。
【図６】図４の手摺構成体の縦桟を通るＸ−Ｘにおける概略側面断面図である。
【図７】別な実施形態に係る手摺構成体の概略正面図である。
【図８】建物の外側から見た手摺構成体の概略側面図である。
【図９】図１における縦格子タイプの格子ユニットを９０°回転させてブラケットに取り付けた状態の概略側面図である。
【図１０】図９のＢ−Ｂを通る概略平面断面図である。
【図１１】縦桟１８の拡大断面図である。
【図１２】格子ユニットの回転を示す概略図である。
【図１３】従来型の手摺構成体を示す概略側面断面図である。
【発明を実施するための形態】
【００１０】
図１〜７は、本発明の実施形態に係る移動可能な縦格子タイプの手摺構成体を示す。
図１は、建物の外側から見た手摺構成体の概略側面図、図２は、図１のＡ−Ａを通る概略平面断面図、図３は、縦桟の拡大断面図である。図４は、図１の手摺構成体の概略正面図である。図５、図６は、図４の手摺構成体の縦桟を通るＸ−Ｘにおける概略側面断面図である。図７は、別な実施形態に係る手摺構成体の概略正面図である。
【００１１】
図１において、手摺構成体１は、縦格子タイプの格子ユニットを有する縦格子タイプの手摺構成体であり、バルコニーや廊下を構成するコンクリートスラブ１３に設けられる支柱１２、支柱の上部に取り付けられた笠木１０、２本の支柱に上下に固定された連結部材としての各４個の第１ブラケット１４及び第２ブラケット３４、４個の第１ブラケット１４に取り付けられた第１格子ユニット１６、第１格子ユニット１６の上下左右に隣接して４個の第２ブラケット３４に取り付けられた第２格子ユニット３０などを有する。格子ユニット１６，３０は、バルコニーや廊下の内側空間Ｓ２に配置された構造物を覆うように配置されており、上下に移動可能である。
【００１２】
第１格子ユニット１６は、水平方向に真っ直ぐに延びる２本の横桟１８と、ネジ１９によって横桟１８に対して直交方向に横桟１８に固定された複数の真っ直ぐに延びる縦格子２０を有する。第２格子ユニット３０も同様に、水平方向に真っ直ぐに延びる２本の横桟３８と、ネジ１９によって横桟３８に対して直交方向に横桟３８に固定された複数の真っ直ぐに延びる縦格子２０を有する。よって、第１格子ユニット１６及び第２格子ユニット３０は同一構造を有する。ただし、第２連結部材としての第２ブラケット３４は第１連結部材としての第１ブラケット１４よりも外側空間方向に短いため（図１、図２）、第２格子ユニット３０は第１格子ユニット１６よりも手前（バルコニー側）に位置する。それぞれの第１格子ユニット１６又は第２格子ユニット３０の上又は下に隣接して、第２格子ユニット３０又は第１格子ユニット１６がそれぞれ配置されている（図１）。
【００１３】
図示のように手摺構成体１は持ち出しタイプかつスラブ隠しタイプの手摺構成体である。
以下では、適宜、第１格子ユニット１６について説明するが、第２格子ユニット３０についても同様の記載が当てはまる。
【００１４】
図２に示すように、第１格子ユニット１６及び第２格子ユニット３０において、ネジ１９は、断面が矩形形状で中空の形材である横桟１８，３８の内側（長辺部分）に形成された穴にそれぞれ挿入され、同様に断面が矩形形状で中空の形材である縦格子２０Ｂの短辺を通って縦格子２０Ｂの内側までそれぞれ挿入され、それにより縦格子２０Ｂが横桟１８，３８にそれぞれ固定されている。縦格子２０Ｂと横桟１８，３８はそれぞれ互いに直交方向に配置されている。
【００１５】
支柱１２は、アンカー１１によってスラブ１３に固定されている。
【００１６】
図２，３に示すように、第１格子ユニット１６の左右両端に位置する縦桟２０Ａは長方形断面を有し、縦桟２０Ａの短辺部分に対応する第１面２０ａには、第１溝部である第１溝２０ｃを有するレール部である第１レール部２０ｅが形成されており、第１面２０ａに隣接し長辺部分に対応する第２面２０ｂには第２溝部である第２溝２０ｄを有する別なレール部である第２レール部２０ｆが形成されている。図１から分かるように、第１溝２０ｃを有する第１レール部２０ｅ及び第２溝２０ｄを有する第２レール部２０ｆは縦桟２０Ａの全長に沿って延びている。よって、縦桟２０Ａは、２つのレール部を有する２レール部材として構成されている。縦桟２０Ａは、縦格子２０Ｂと平行且つ横桟１８，３８とは直交方向に配置されている。
【００１７】
第１格子ユニット１６及び第２格子ユニット３０のそれぞれの縦桟２０Ａは、上下２つの第１ブラケット１４（１４Ａ，１４Ｂ）及び第２ブラケット３４（３４Ａ，３４Ｂ）を介して支柱１２に固定される（図１、図２）。
【００１８】
ここで、図２に示すように、第１ブラケット１４の先端１４ｃ及び第２ブラケット３４の先端３４ｃは、ボルト１７ａ及びナット１７ｂを有する固定手段であるボルト部材１７によって縦桟２０Ａの第１レール部２０ｅに解除可能に締め付けられている。具体的には、縦桟２０Ａの第１溝２０ｃにはナット１７ｂが回転しないように挿入されており、このナット１７ｂに、ボルト１７ａが第１ブラケット１４の先端１４ｃを介してねじ込まれている。したがって、ボルト１７ａを緩めることで、第１格子ユニット１６及び第２格子ユニット３０は支柱１２に対して第１レール部２０ｅに沿って上下に移動可能であるとともに、ボルト１７ａを締めることで、第１格子ユニット１６及び第２格子ユニット３０は任意の位置で支柱１２に対して固定することができる。一方で、第１ブラケット１４の基部１４ａ及び第２ブラケット３４の基部３４ａはネジ１５によって支柱１２に固定されており、第１ブラケット１４及び第２ブラケット３４は支柱１２に対して動かない。
【００１９】
図１に示すように、第１格子ユニット１６及び、第１格子ユニットの上下に隣接して配置された第２格子ユニット３０は、バルコニーや廊下の内側空間Ｓ２に配置された構造物を覆うように配置されている。これにより、内側空間Ｓ２の上部に設置されたエアコン室外機や間仕切りなどの構造物が外側空間Ｓ１から直接見えない。
【００２０】
図４は、図１の手摺構成体の概略正面図である。図４は、例えば建物の１階及び２階に設けられた手摺構成体を示す。
図４に示す１階部分において、第１格子ユニット１６及び第２格子ユニット３０は左右方向に交互に配置されている。１階部分の中央の第１格子ユニット１６Ａに着目すると、第１格子ユニット１６Ａの上には、図４における２階部分において、第２格子ユニット３０Ａが配置されている。すなわち、第１格子ユニット１６及び第２格子ユニット３０が上下方向に交互に配置されている。また、第１格子ユニット１６及び第２格子ユニット３０が複数の階にわたって配置されている。なお、図示しない３階以上においても、第１格子ユニット１６及び第２格子ユニット３０が上下方向に交互に配置されてもよい。これにより、各階において、第１格子ユニット１６又は第２格子ユニット３０を、その上方に配置された第２格子ユニット３０又は第１格子ユニット１６に干渉することなく移動させることができる。
【００２１】
中央の第１格子ユニット１６Ａは上階のスラブ１３の下端まで延びているため、中央の第１格子ユニット１６Ａにより、例えば上部空間に設置されたエアコン室外機や間仕切りなどが覆われ、外側空間Ｓ１から隠されている。
【００２２】
なお、本実施形態では各階の外側空間Ｓ１を覆うために１つの第１格子ユニット１６又は１つの第２格子ユニット３０が設置されているが、これに限られず、各階の外側空間Ｓ１を覆うために２以上の第１格子ユニット１６及び第２格子ユニット３０が、各階において上下に交互に設置されてもよい。
【００２３】
図５、図６は、図４の手摺構成体の支柱を通るＸ−Ｘにおける概略側面図である。ここでは、例えば３階部分に設けられた第１格子ユニット１６も示している。
上述したように、第２格子ユニット３０の取り付けられる第２ブラケット３４が第１格子ユニット１６の取り付けられる第１ブラケット１４よりも外側空間方向に短いため、第１格子ユニット１６は第２格子ユニット３０よりも外側に位置する（図５）。したがって、図６に示すように、第１格子ユニット１６は第２格子ユニット３０に干渉せずに上方に移動できる。すなわち、第１格子ユニット１６の縦桟２０Ａの上端は、第２格子ユニット３０の縦桟２０Ａの下端に接触せずにすれ違い、重なる。これにより、上下方向に移動した第１格子ユニット１６の下端とスラブ１３の間に開口部４０が形成される。
【００２４】
同様に、図６から明らかなように、第２格子ユニット３０も第１格子ユニット１６に干渉することなく上方に移動でき、第２格子ユニット３０の縦桟２０Ａの上端は、第１格子ユニット１６の縦桟２０Ａの下端に接触せずにすれ違い、重なる。これにより、上下方向に移動した第２格子ユニット３０の下端とスラブ１３の間にも開口部が形成される。内側空間Ｓ１から開口部４０を介して、コンクリートスラブ鼻先部３３の防水塗装、タイル塗装、足場解体後の補修などのメンテナンスを行うことができ、手間のかかる外側空間Ｓ２からのメンテナンスは不要となる。さらに、開口部４０は、外側空間Ｓ１からの消防隊の進入口や、内部空間からの居住者の緊急時の脱出口などとしても機能する。
【００２５】
図７は、別な実施形態に係る手摺構成体の概略正面図である。図７は、例えば建物の１階、２階及び３階に設けられた手摺構成体を示す。
１階部分において、第１格子ユニット１６及び第２格子ユニット３０は左右方向に交互に配置されている。１階部分の中央の第１格子ユニット１６Ａに着目すると、第１格子ユニット１６Ａの上には、２階部分において第２格子ユニット３０Ａが配置され、３階部分において第１格子ユニット１６Ｂが配置されている。また、２階部分及び３階部分においても、第１格子ユニット１６及び第２格子ユニット３０は左右方向に交互に配置されている。したがって、それぞれの第１格子ユニット１６又は第２格子ユニット３０の上又は下に隣接して、第２格子ユニット３０又は第１格子ユニット１６がそれぞれ配置されている。また、全ての第１格子ユニット１６及び第２格子ユニット３０が上下方向に交互に配置されている。さらに、第１格子ユニット１６及び第２格子ユニット３０が複数の階にわたって配置されている。
【００２６】
これにより、各階において、第１格子ユニット１６又は第２格子ユニット３０を、その上方に配置された第２格子ユニット３０又は第１格子ユニット１６に干渉することなく移動させることができる。各階において第１格子ユニット１６又は第２格子ユニット３０を移動させることで、上下方向に移動した第１格子ユニット１６又は第２格子ユニット３０の下端とコンクリートスラブ１３の間に開口部４０（図６）が形成される。第１格子ユニット１６Ａ及び第２格子ユニット３０は上階のスラブ１３の下端まで延びているため、第１格子ユニット１６Ａ及び第２格子ユニット３０により、例えば上部空間に設置されたエアコン室外機や間仕切りなどが覆われ、外側空間Ｓ１から隠されている。
【００２７】
ところで、近年、子供が上層階のバルコニーなどから下へ落下する事故が起きている。その原因として、バルコニーに置かれた椅子や植物などが子供の足掛かりとなったり、寝室のベッドから窓枠までの距離が近すぎるためベッドが子供の足掛かりとなったりすることが考えられる。本実施形態では、バルコニー全体を覆うように第１格子ユニット１６及び第２格子ユニット３０が配置されているため、子供が落下するスペース（隙間）の形成を防ぐことができる。さらに、バルコニー全体（建物全体）を覆うように第１格子ユニット１６及び第２格子ユニット３０を配置した場合でも、建築基準法施行令で求められる、消防隊の進入口や居住者の緊急時の脱出口などとして機能する非常用進入口（開口部４０）を形成することができる。
【００２８】
本実施形態では、バルコニー全体（建物全体）を覆うように、第１格子ユニット１６及び第２格子ユニット３０が配置されており、また第１格子ユニット１６及び第２格子ユニット３０は左右方向に且つ上下方向に交互に配置されている。言い換えれば、外側空間Ｓ１において前後に位置する第１格子ユニット１６及び第２格子ユニット３０は市松模様を構成するように配置されている。
【００２９】
しかしながら、図示した市松模様の配置に限られず、例えば１階では第１格子ユニット１６のみを左右方向に配置し、２階では第２格子ユニット３０のみを左右方向に配置し、３階では第１格子ユニット１６のみを左右方向に配置してもよい。これによっても、各階において、第１格子ユニット１６又は第２格子ユニット３０を、その上方に配置された第２格子ユニット３０又は第１格子ユニット１６に干渉することなく移動させて、開口部４０を形成することができる。
【００３０】
なお、図１、図５に示すように、第１格子ユニット１６及び第２格子ユニット３０が下限位置にあるとき、第１格子ユニット１６の上端を構成する縦桟２０Ａ及び縦格子２０Ｂの上端は、その第１格子ユニット１６の上に配置された第２格子ユニット３０の下端を構成する縦桟２０Ａ及び縦格子２０Ｂの下端まで延びている。この第１格子ユニット１６の上端と第２格子ユニット３０の下端は外側空間方向に前後にずれているが、図４，７に示すように、その境界及び凹凸は正面からは見えず、繋ぎ目の無いきれいな外観が現れる。
【００３１】
また前述した実施形態では、第１格子ユニット１６及び第２格子ユニット３０の左右両端に位置する縦桟２０Ａに、第１溝２０ｃを有する第１レール部２０ｅが直接形成されているため（図３）、第１ブラケット１４及び第２ブラケット３４と横桟１８の間にレール部材として機能する別の縦桟（レール柱）を設ける必要が無い。
【００３２】
また前述した実施形態では、第１格子ユニット１６及び第２格子ユニット３０において、左右両端に位置する２本の縦桟２０Ａと２本の横桟１８，３８は同一形状の形材から作られている。よって、図１に示される２本の横桟１８，３８の断面は、図２，３に示される縦桟２０Ａの断面と等しく、２本の横桟１８，３８も、第１レール部２０ｅ及び第２レール部２０ｆを有する。これにより、左右両端に位置する２本の縦桟２０Ａ及び２本の横桟１８，３８に対応する一種の形材と、左右両端に位置する２本の縦桟２０Ａの間に配置された縦格子２０Ｂに対応する一種の形材の、全二種の形材によって第１格子ユニット１６及び第２格子ユニット３０を構成することができる。ゆえに、格子ユニットは簡単且つ迅速に製作可能であり、コストダウンを図ることができる。
【００３３】
なお図２の第１格子ユニット１６及び第２格子ユニット３０において、左右両端に位置する２本の縦桟２０Ａの間に配置された縦格子２０Ｂが、左右両端に位置する２本の縦桟２０Ａと同一形状を有してもよい。すなわち、全ての縦桟２０Ａ及び縦格子２０Ｂが同一形状を有してもよい。これにより、第１格子ユニット１６及び第２格子ユニット３０は一種の形材のみで構成することができ、格子ユニットの製作がさらに簡略化される。
【００３４】
また前述した実施形態では、全ての格子部材、すなわち縦桟２０Ａ、縦格子２０Ｂ及び横桟１８，３８は同一の寸法を有する。例えば、各格子部材の断面の長辺は３０ｍｍ、短辺は１５ｍｍである。このように全ての格子部材の寸法を統一することで、格子部材の製作が簡単になるとともに格子ユニットの美観が向上される。なお、各格子部材の断面は長方形に限定されず、正方形や他の形状であってもよい。
【００３５】
また、図１、図５、図６などに示す支柱１２、笠木１０及びブラケット１４は、格子ユニット１６により覆われているため、外側空間Ｓ１から視認できない。そのため、従来、顧客の要望に応じて様々な設計の笠木や支柱を作製する必要があったところ、支柱１２及び笠木１０は単純な形状を有する従来型の押出形材で統一することができる。すなわち、支柱１２及び笠木１０を２つの押出形材で構成することができる。また上述したように、格子ユニット１６は１又は２つの押出形材で構成することができる。よって、手摺構成体１を３又は４つの押出形材で構成することができる。さらに、支柱１２、笠木１０及びブラケット１４を、格子ユニットを取り付けるための架台とみなせば、架台が１つの設計で統一され（同一の架台が構成され）、この架台に、縦格子タイプの格子ユニット、横格子タイプの格子ユニット、ガラスパネルなどの任意のパネルを取り付けることができる。
【００３６】
図１に示すように、架台（支柱１２、笠木１０及びブラケット１４，３４）に格子ユニットなどを取り付ける際は、上側横桟１８Ａが上側ブラケット１４Ａよりも上側に位置し、下側横桟１８Ｂが下側ブラケット１４Ｂよりも上側に位置するように、第１格子ユニット１６を正面から又は上方から架台に対して取り付ければよい。すなわち、上側ブラケット１４Ａ及び下側ブラケット１４Ｂが第１格子ユニット１６を支えるストッパとなる。このとき、下側横桟１８Ｂの上端から上側ブラケット１４Ａの下端までの距離Ｚが、格子ユニットが上下に移動可能な距離になり、開口部４０の縦寸法を画定する。
【００３７】
第２格子ユニット３０についても同様に、上側ブラケット３４Ａ及び下側ブラケット３４Ｂが第２格子ユニット３０を支えるストッパとなる。このとき、下側横桟３８Ｂの上端から上側ブラケット３４Ａの下端までの距離Ｚが、格子ユニットが上下に移動可能な距離になり、開口部４０の縦寸法を画定する。
【００３８】
距離Ｚは適切な長さに変更でき、例えば建築基準法施行令で求められる１２００ｍｍとすることができる。一方、開口部４０の横寸法は支柱間の距離により画定され、例えば建築基準法施行令で求められる７５０ｍｍとすることができる。
【００３９】
図８は、本発明の別な実施形態に係る移動可能な縦格子タイプの手摺構成体を示す。
図８は、建物の外側から見た手摺構成体の概略側面図である。
手摺構成体１は、縦格子タイプの格子ユニットを有する縦格子タイプの手摺構成体であり、バルコニーや廊下を構成するコンクリートスラブ１３に設けられる支柱１２、支柱の上部に取り付けられた笠木１０、２本の支柱に上下に固定された連結部材としての各４個の第１ブラケット１４及び第２ブラケット３４、４個の第１ブラケット１４に取り付けられた第１格子ユニット１６、第１格子ユニット１６の上下左右に隣接して４個の第２ブラケット３４に取り付けられた第２格子ユニット３０などを有する。本実施形態では、支柱１２は、或る階のスラブ１３から上階のスラブ１３まで延在する方立柱として構成されている。すなわち、支柱１２の底部はアンカー１１によってスラブ１３に固定されるとともに、その上部分４１が笠木１０の上方にさらに延び、上階のスラブ１３の下部に固定されている。これにより、支柱１２は、格子ユニット１６，３０を支えるより強固な支柱となる。手摺構成体１のその他の構成は図１に示すものと同じである。
【００４０】
また、図示した第１ブラケット１４及び第２ブラケット３４に加えて、第１ブラケット及び第２ブラケット（不図示）を支柱１２の上部分４１にさらに設け、第１格子ユニット１６及び第２格子ユニット３０をこれら第１ブラケット及び第２ブラケット（不図示）にさらに固定してもよい。
【００４１】
また例えば、図示した上側ブラケット１４Ａ，３４Ａを支柱１２の上部分４１に取り付けてそれらの位置を上方へずらし、上側横桟１８Ａ，３８Ａを上側ブラケット１４Ａ，３４Ａに載るように位置を上方へずらしてもよい。このようにして、格子ユニットが上下に移動可能な距離に相当する、下側横桟１８Ｂ，３８Ｂの上端から上側ブラケット１４Ａ，３４Ａの下端までの距離Ｚ（開口部４０の縦寸法）を拡大することができる。
【００４２】
図９〜１１は、本発明の実施形態に係る移動可能な横格子タイプの手摺構成体を示す。
図９は、図１における縦格子タイプの格子ユニットを９０°回転させてブラケットに取り付けた状態の概略側面図、図１０は、図９のＢ−Ｂを通る概略平面断面図、図１１は、縦桟１８，３８の拡大断面図である。
以下では主に第１格子ユニット１６について説明するが、第２格子ユニット３０にも同様の記載が当てはまる。
【００４３】
前述した実施形態では、左右両端に位置する２本の縦桟２０Ａと２本の横桟１８は同一形状の形材から作られている。なお、縦桟２０Ａ及び横桟１８は長方形断面を有しているが、これに限られず正方形断面や他の多角形断面を有してもよい。具体的には、図３に示すように、縦桟２０Ａ及び横桟１８の短辺部分に対応する第１面２０ａには、第１溝部である第１溝２０ｃを有する第１レール部２０ｅが形成されており、第１面２０ａに隣接し長辺部分に対応する第２面２０ｂには第２溝部である第２溝２０ｄを有する第２レール部２０ｆが形成されている。このように、左右両端に位置する２本の縦桟２０Ａと２本の横桟１８のそれぞれに第１レール部２０ｅ及び第２レール部２０ｆを形成することで、縦格子タイプの第１格子ユニット１６を、９０°回転させて横格子タイプの第１格子ユニット１６として使用することができる。
【００４４】
すなわち、このように構成された縦格子タイプの第１格子ユニット１６を第１ブラケット１４から取り外し、９０°回転させると、図９に示すように、横格子タイプの第１格子ユニット１６となる。具体的には、図９に示すように、図２において左右両端に位置していた縦桟２０Ａは上下端部の横ルーバー（横桟）２０Ａとなり（図９）、図１の２本の横桟１８は２本の縦桟１８となり（図９）、図２の左右両端に位置する２本の縦桟２０Ａの間に配置されていた縦格子２０Ｂは横ルーバー２０Ｂとなる（図９，１０）。よって、図１０，１１に示すように、９０°回転後の横格子タイプの第１格子ユニット１６は、第２面２０ｂに、第１溝部である第２溝２０ｄを有するレール部である第２レール部２０ｆを備えた縦桟１８を有し、第２レール部２０ｆは鉛直方向に延びている。そのため、この第１格子ユニット１６を、第２レール部２０ｆ及びボルト部材１７を用いて第１ブラケット１４に固定することで、第２レール部２０ｆに沿って上下に移動可能な横格子タイプの手摺構成体１を構成することができる。
【００４５】
逆に言えば、図９において、上下両端に位置する２本の横ルーバー２０Ａと２本の縦桟１８のそれぞれに第１レール部２０ｅ及び第２レール部２０ｆを形成することで、横格子タイプの第１格子ユニット１６（図９）を、９０°回転させて縦格子タイプの第１格子ユニット１６（図１）として使用することができる。
【００４６】
第２格子ユニット３０にも同様の記載が当てはまる。すなわち、縦格子タイプの第２格子ユニット３０を第２ブラケット３４から取り外し、９０°回転させると、図９に示すように、横格子タイプの第２格子ユニット１６となる。具体的には、図９に示すように、図２において左右両端に位置していた縦桟２０Ａは上下端部の横ルーバー（横桟）２０Ａとなり（図９）、図１の２本の横桟１８は２本の縦桟１８となり（図９）、図２の左右両端に位置する２本の縦桟２０Ａの間に配置されていた縦格子２０Ｂは横ルーバー２０Ｂとなる（図９，１０）。よって、図１０，１１に示すように、９０°回転後の横格子タイプの第２格子ユニット１６は、第２面２０ｂに、第１溝部である第２溝２０ｄを有するレール部である第２レール部２０ｆを備えた縦桟１８を有し、第２レール部２０ｆは鉛直方向に延びている。そのため、この第２格子ユニット３０を、第２レール部２０ｆ及びボルト部材１７を用いて第２ブラケット３４に固定することで、第２レール部２０ｆに沿って上下に移動可能な横格子タイプの手摺構成体１を構成することができる。
【００４７】
逆に言えば、図９において、上下両端に位置する２本の横ルーバー２０Ａと２本の縦桟１８のそれぞれに第１レール部２０ｅ及び第２レール部２０ｆを形成することで、横格子タイプの第２格子ユニット３０（図９）を、９０°回転させて縦格子タイプの第２格子ユニット３０（図１）として使用することができる。
【００４８】
ゆえに、縦格子タイプの格子ユニットと横格子タイプの格子ユニットを必要に応じて使い分けることができるため、コストダウンが可能となるとともに、これら格子ユニットを簡単且つ迅速に製作することができる。横格子タイプの格子ユニットの場合、格子ユニットを上下動させるためのレール部を縦桟１８に直接設けることができる。
【００４９】
図９，１０，１１に示す持ち出しタイプの手摺構成体１は、バルコニーや廊下を構成するコンクリートスラブに設けられる支柱１２、２本の支柱に上下に固定された連結部材としての各４個の第１ブラケット１４及び第２ブラケット３４、４個の第１ブラケット１４に取り付けられた横格子タイプの第１格子ユニット１６、第１格子ユニット１６の上下左右に隣接して４個の第２ブラケット３４に取り付けられた横格子タイプの第２格子ユニット３０などを有する。格子ユニット１６，３０は、バルコニーや廊下の内側空間Ｓ２に配置された構造物を覆うように配置されており、上下に移動可能である。
【００５０】
第１格子ユニット１６の左右両端に位置する２本の縦桟１８は、第１溝部である第２溝２０ｄを有するレール部である第２レール部２０ｆを備える。支柱１２及び第１ブラケット１４によって構成された架台に対して第１格子ユニット１６が取り付けられる。第１ブラケット１４は、固定手段であるボルト１７ａ、ナット１７ｂにより縦桟１８の第２レール部２０ｆに解除可能に固定され、固定手段の解除時には格子ユニット１６は第２レール部２０ｆに沿って移動可能である。
【００５１】
また、この横格子タイプの第１格子ユニット１６を有する手摺構成体１では、２本の縦桟１８は長方形断面を有し、２本の縦桟１８の長辺部分に対応する第２面２０ｂには、第１溝部である第２溝２０ｄを有するレール部である第２レール部２０ｆが形成されており、第２面２０ｂに隣接し短辺部分に対応する第１面２０ａには第２溝部である第１溝２０ｃを有する別なレール部である第１レール部２０ｅが形成されている。
【００５２】
また、この横格子タイプの第１格子ユニット１６を有する手摺構成体１では、横格子タイプの第１格子ユニット１６の上端及び下端に位置する横桟２０Ａは長方形断面を有し、横桟２０Ａの短辺部分に対応する第１面２０ａには、第２溝部である第１溝２０ｃを有する別なレール部である第１レール部２０ｅが形成されており、第１面２０ａに隣接し長辺部分に対応する第２面２０ｂには第１溝部である第２溝２０ｄを有するレール部である第２レール部２０ｆが形成されている。
【００５３】
また、この横格子タイプの第１格子ユニット１６を有する手摺構成体１では、横格子タイプの第１格子ユニット１６は、９０°回転させることで縦格子タイプの第１格子ユニット１６を構成し（図１，２，３）、第１ブラケット１４は、固定手段により、縦桟として機能する横桟２０Ａの別なレール部である第１レール部２０ｅに解除可能に固定され、固定手段の解除時には第１格子ユニット１６は別なレール部である第１レール部２０ｅに沿って移動可能である。
【００５４】
なお、第１格子ユニット１６を９０°回転させるとは、図１２に示すように、例えば縦格子タイプの第１格子ユニット１６における、右上に位置する縦桟２０Ａと上側横桟１８Ａの結合点Ｐを右下の結合点Ｐ’の位置に回転移動させることを意味する。９０°回転により、縦格子タイプの第１格子ユニット１６は横格子タイプの第１格子ユニット１６になる。
【００５５】
図１、図８及び図９に示すように、本発明の実施形態に係る手摺構成体１は、持ち出しタイプ且つスラブ隠しタイプの手摺構成体である。
【００５６】
なお、第１格子ユニット１６及び第２格子ユニット３０を有する手摺構成体を例に述べたが、これに限られず、例えば第１ブラケット１４よりも長い別なブラケット又は第２ブラケット３４よりも短い更に別なブラケットに、第３格子ユニット又は第４格子ユニットを固定してもよい。これによっても、第１格子ユニット１６、第２格子ユニット３０、第３格子ユニット又は第４格子ユニットは、互いに干渉することなく移動でき、開口部を形成することができる。
【符号の説明】
【００５７】
１  手摺構成体
１２  支柱
１４  第１ブラケット（第１連結部材）
１６  第１格子ユニット
３０  第２格子ユニット
３４  第２ブラケット（第２連結部材）
Ｓ２  内側空間
【図１】
2020084597.tif 000003
【図２】
2020084597.tif 000004
【図３】
2020084597.tif 000005
【図４】
2020084597.tif 000006
【図５】
2020084597.tif 000007
【図６】
2020084597.tif 000008
【図７】
2020084597.tif 000009
【図８】
2020084597.tif 000010
【図９】
2020084597.tif 000011
【図１０】
2020084597.tif 000012
【図１１】
2020084597.tif 000013
【図１２】
2020084597.tif 000014
【図１３】
2020084597.tif 000015